(57)【特許請求の範囲】
【請求項１】
料金精算機内に収められている売上金の盗難を防止するための料金精算機用盗難防止装置であって、
装置本体の全体が、上記料金精算機の上面と左右両側面を覆うことができる略箱型形状を成し、開口された前面口には、上記料金精算機の精算用パネルに設けられている少なくとも各種スイッチ類や機器類を、外部より夫々操作可能にした複数の穴を開口形成して成るパネル板を備えたロック装置付きの開閉扉を取付けると共に、開口された背面口には、装置本体の内側からのみ着脱操作することを可能にした背板を取付け自在に構成して、
立設されている上記の料金精算機を、上記開口された背面口の側から上記装置本体の内部に収めた後、装置本体の内部より上記開口された背面口に前記背板を取付けてこれを塞ぎ、且つ、前面口の開閉扉を閉じて上記のロック装置にてロックすることにより、当該料金精算機を上記装置本体内に据え付けるように構成したことを特徴とする料金精算機用盗難防止装置。
【請求項２】
前記装置本体の内部側面に、前記開口された背面口から装置本体内に挿入されて来る料金精算機の側面をガイドして、当該料金精算機を上記装置本体の内壁面より所定の間隔を保った位置に設置することができるガイド部材を設けたことを特徴とする請求項１に記載の料金精算機用盗難防止装置。
【請求項３】
前記装置本体に取り付けられている前記開閉扉に設けたパネル板を、強靱な鋼板製の強化パネル板と、この強化パネル板の表面に重ねて取付ける案内用パネル板とによって構成し、これ等両パネル板には、前記料金精算機の精算機用パネル板に設けられている各種スイッチ類や機器類、或いは、各種投入口や排出口といった外装品が嵌合、又は、合致する複数の穴を、夫々連通状態に設け、且つ、上記案内用パネル板には操作方法等を表示すると共に、上記強化パネル板には上記連通状態の各穴を上記精算機用パネル板のスイッチ類や機器類等の外装品に位置合わせするための、上下及び左右調整用の調整手段を設けたことを特徴とする請求項１に記載の料金精算機用盗難防止装置。
【請求項４】
前記強化パネル板の調整手段が、前記装置本体に取り付けられている前記開閉扉の基部と強化パネル板との間にスペーサを挟み込み、且つ、当該強化パネル板に左右横方向の長孔を設けて、強化パネル板をこの長孔に沿って左右に位置調整して上記のスペーサ側にねじ止めする左右調整手段と、
上記スペーサの上部に逆Ｌ字型ブラケットを突設し、このブラケットの水平面に設けためねじに調節ねじをねじ込み、且つ、この調節ねじの回転操作に従って上記のスペーサを上方又は下方に移動することにより、上記の強化パネル板を一体に上下方向に移動調整するように構成すると共に、この上下に移動調整された強化パネル板をその移動位置にねじ止めすることができ、且つ、上記強化パネル板の全体を上記開閉扉の基部にねじ止めする上下調整手段と、によって構成されていることを特徴とする請求項３に記載の料金精算機用盗難防止装置。
【請求項５】
前記装置本体に設けたフックを前記開閉扉に設けたフック受けに掛けることにより、当該装置本体内に取付けた料金精算機の前面に設けられている精算機用パネル板を、上記開閉扉に取付けた前記強化パネル板の内側面に接するようにして、上記の料金精算機を上記装置本体内部に据え付けると共に、上記装置本体側には、上記フックとフック受けとの間に隙間がある場合に、上記の開閉扉を前進させて隙間を無くす開閉扉調整ねじと、上記フックがフック受けに掛からない場合に、上記装置本体を手前側に戻して、当該装置本体と上記開閉扉との隙間を上記フックが掛かるように狭く調整する精算機調整ねじを設けたことを特徴とする請求項３または４に記載の料金精算機用盗難防止装置。
【請求項６】
前記装置本体内部の上部横方向に支持フレームを架設し、この支持フレームの左右両側には、挿入された前記料金精算機の左右両側面を両側から挟むように、左右２本のアーム部を下方に向けて突設して、これ等両アーム部には締め付け操作に従って上記料金精算機に対する装置本体の傾きを調整する傾き調整ボルトを取付けたことを特徴とする請求項１に記載の料金精算機用盗難防止装置。
【発明の詳細な説明】
【技術分野】
【０００１】
本発明は、駐車料金や駐輪料金を始めとする各種の料金を自動的に徴収する自動料金精算機（以下単に料金精算機という）の技術分野で利用されるものであって、具体的には、料金精算機の内部に保管した売上金の盗難防止を目的とする料金精算機用盗難防止装置に関するものである。
【背景技術】
【０００２】
上述した料金精算機用盗難防止装置に関しては、従来より、例えば特許文献１に記載されている「駐車場料金精算機用プロテクタ」と、特許文献２に記載されている「無人駐車場における精算機料金盗難防止装置」が存在する。即ち、前者の特許文献１に記載の発明は、駐車場の料金精算機を取り囲むように設置することにより、破壊や盗難から保護するためのプロテクタであり、後者の特許文献２に記載の発明は、フレーム（筺体）で精算機を覆うことにより、売上金の盗難を防止する装置であって、更には、筺体を取り外せないように精算機の下側にフック状の爪を嵌め込んだり、或いは、ブリッジ状の部材で固定することにより、盗難を防止するように工夫されている。
【特許文献１】特開２００３−１５０９８８号公報
【特許文献２】特開２００１−３３８３４０号公報
【発明の開示】
【発明が解決しようとする課題】
【０００３】
しかし、上記特許文献１に記載のプロテクタは、料金精算機の外側部にプロテクタを取付けたものであるため、精算機が新設で設置前の場合は取付けが可能であるが、精算機が既設の場合は、一度精算機を取り外さないとプロテクタを取付けることができないといった煩わしさがあった。
【０００４】
また、上記特許文献２に記載の盗難防止装置は、精算機本体を覆うように盗難防止装置を設置したものであるが、正面の操作盤（パネル板）側は何の対策も施されていない無防備な状態にあるため、正面の操作盤側から破壊されてしまう問題があった。
【０００５】
そこで本発明の技術的課題は、新設・既設の如何にかかわらず、料金精算機を内部に据え付けて、料金の盗難を防止できると共に、正面（前面）のパネル板を強靱な構造に造って、破壊から守ることができるように工夫した料金精算機用盗難防止装置を提供することである。
【課題を解決するための手段】
【０００６】
（１）  上記技術的課題を解決するために、本発明の請求項１に係る料金精算機用盗難防止装置は、料金精算機内に収められている売上金の盗難を防止するための料金精算機用盗難防止装置であって、装置本体の全体が、上記料金精算機の上面と左右両側面を覆うことができる略箱型形状を成し、開口された前面口には、上記料金精算機の精算用パネルに設けられている少なくとも各種スイッチ類や機器類を、外部より夫々操作可能にした複数の穴を開口形成して成るパネル板を備えたロック装置付きの開閉扉を取付けると共に、開口された背面口には、装置本体の内側からのみ着脱操作することを可能にした背板を取付け自在に構成して、立設されている上記の料金精算機を、上記開口された背面口の側から上記装置本体の内部に収めた後、装置本体の内部より上記開口された背面口に前記背板を取付けてこれを塞ぎ、且つ、前面口の開閉扉を閉じて上記のロック装置にてロックすることにより、当該料金精算機を上記装置本体内に据え付けるように構成したことを特徴としている。
【０００７】
（２）  また、本発明の請求項２に係る料金精算機用盗難防止装置は、前記装置本体の内部側面に、前記開口された背面口から装置本体内に挿入されて来る料金精算機の側面をガイドして、当該料金精算機を上記装置本体の内壁面より所定の間隔を保った位置に設置することができるガイド部材を設けたことを特徴としている。
【０００８】
（３）  また、本発明の請求項３に係る料金精算機用盗難防止装置は、前記装置本体に取り付けられている開閉扉に設けたパネル板を、強靱な鋼板製の強化パネル板と、この強化パネル板の表面に重ねて取付ける案内用パネル板とによって構成し、これ等両パネル板には、前記料金精算機の精算機用パネル板に設けられている各種スイッチ類や機器類、或いは、各種投入口や排出口といった外装品が嵌合、又は、合致する複数の穴を、夫々連通状態に設け、且つ、上記案内用パネル板には操作方法等を表示すると共に、上記強化パネル板には上記連通状態の各穴を上記精算機用パネル板のスイッチ類や機器類等の外装品に位置合わせするための、上下及び左右調整用の調整手段を設けたことを特徴としている。
【０００９】
（４）  また、本発明の請求項４に係る料金精算機用盗難防止装置は、前記強化パネル板の調整手段が、前記装置本体に取り付けられている開閉扉の基部と強化パネル板との間にスペーサを挟み込み、且つ、当該強化パネル板に左右横方向の長孔を設けて、強化パネル板をこの長孔に沿って左右に位置調整して上記のスペーサ側にねじ止めする左右調整手段と、上記スペーサの上部に逆Ｌ字型ブラケットを突設し、このブラケットの水平面に設けためねじに調節ねじをねじ込み、且つ、この調節ねじの回転操作に従って上記のスペーサを上方又は下方に移動することにより、上記の強化パネル板を一体に上下方向に移動調整するように構成すると共に、この上下に移動調整された強化パネル板をその移動位置にねじ止めすることができ、且つ、上記強化パネル板の全体を上記開閉扉の基部にねじ止めする上下調整手段と、によって構成されていることを特徴としている。
【００１０】
（５）  更に、本発明の請求項５に係る料金精算機用盗難防止装置は、前記装置本体に設けたフックを前記開閉扉に設けたフック受けに掛けることにより、当該装置本体内に取付けた料金精算機の前面に設けられている精算機用パネル板を、上記開閉扉に取付けた前記強化パネル板の内側面に接するようにして、上記の料金精算機を上記装置本体内部に据え付けると共に、上記装置本体側には、上記フックとフック受けとの間に隙間がある場合に、上記の開閉扉を前進させて隙間を無くす開閉扉調整ねじと、上記フックがフック受けに掛からない場合に、上記装置本体を手前側に戻して、当該装置本体と上記開閉扉との隙間を上記フックが掛かるように狭く調整する精算機調整ねじを設けたことを特徴としている。
【００１１】
（６）  更にまた、本発明の請求項６に係る料金精算機用盗難防止装置は、前記装置本体内部の上部横方向に支持フレームを架設し、この支持フレームの左右両側には、挿入された前記料金精算機の左右両側面を両側から挟むように、左右２本のアーム部を下方に向けて突設して、これ等両アーム部には締め付け操作に従って前記料金精算機に対する装置本体の傾きを調整する傾き調整ボルトを取付けたことを特徴としている。
【００１２】
上記（１）で述べた請求項１に係る手段によれば、盗難防止装置を構成する装置本体の全体が、料金精算機の上面と左右両側面を覆うことができる略箱型形状に造られているため、据え付け時には、装置本体を設置された料金精算機に向けて移動させることにより、料金精算機の前面側を、開口されている装置本体の背面口側へ押し込むようにして取付けることができる。また、装置本体内への取付けが済んだら、開口されている背面口に対して、装置本体内部より背板を取付けることができ、その後、開いている前面口の開閉扉を閉じてロック装置でロックすれば、料金精算機をその上面、左右両側面、背面及び前面の全てを、装置本体によってカバーされた状態に据え付けることができると共に、既設の料金精算機で、且つ、背面側に十分な空間がない場合であっても、装置本体を料金精算機の前面側から押し込んで設置することができる。
【００１３】
上記（２）で述べた請求項２に係る手段によれば、料金精算機を装置本体内に設置（据え付け）する時に、ガイド部材が料金精算機を装置本体の内壁面より所定の間隔を保った位置にガイドして設置するため、料金精算機と装置本体の設置位置を容易に決定して、設置工事を比較的短時間で済ませることができると共に、外部からの破壊工作に対して、上記の間隔が料金精算機を直接的な破壊から守ることを可能にする。
【００１４】
上記（３）で述べた請求項３に係る手段によれば、利用者は開閉扉の表面に取付けた案内用パネル板を見ながら、料金精算機に対する精算処理を済ませることができると共に、機械的強度性が低い料金精算機前面からの破壊工作に対しては、強靱な鋼板製の強化パネル板がこれに対処して、料金精算機を守ることができる。
【００１５】
更に上記（３）及び（４）で述べた請求項３と４に係る手段によれば、上記強化パネル板の取付けに誤差がある場合には、上下及び左右の調整手段によって強化パネル板の位置調整ができるため、強化パネル板に設けた各穴を、料金精算機に設けた各種スイッチ類や機器類等の外装品や、払出口や投入口に位置合わせして、料金精算機のパネル操作を支障無く行うことを可能にする。
【００１６】
上記（５）で述べた請求項５に係る手段によれば、盗難防止用の開閉扉をロックするフックの掛かり具合の調整に関して、フックを掛ける時に、フックとフック受けとの間に隙間（ガタ）がある場合は、開閉扉調整ねじが開閉扉を前方に押してガタを無くし、また、フックがフック受けに届かない場合は、精算機調整ねじを前進させて装置本体を手前側に戻るようにすると、装置本体と開閉扉との間の隙間の部分が狭まって、フックが掛かるように調整することを可能にする。
【００１７】
上記（６）で述べた請求項６に係る手段によれば、装置本体に取付けた支持フレームから伸びた左右２本のアーム部の間に料金精算機が入るように取付けて固定すると共に、このアーム部に設けた傾き調整ボルトを調整することにより、装置本体に対する料金精算機の傾きを修正することができる。
【発明の効果】
【００１８】
以上述べた次第で、本発明の請求項１と２に係る料金精算機用盗難防止装置によれば、既設の料金精算機で、而も、背面側に十分な空間がない場合でも、容易に装置本体を取付けて盗難防止効果を発揮できるため、追加工事に容易に対処できる利点を発揮することができる。また、設置に当たって、ガイド部材が料金精算機と装置本体の設置位置を容易に決めることができるため、設置工事を簡単に、且つ、短時間で済ませることができる利点を発揮することができる。
【００１９】
更に本発明の請求項３と４に係る料金精算機用盗難防止装置によれば、設置時に開閉扉の強化パネル板（案内用パネル板）と、料金精算機のパネル板の位置合わせを正確に行うことができるため、両者間のずれを考慮して開口部を予め大きく作る必要がなく、従って、こじ開け用のバール等を挿入できる隙間を可及的に小さくして、バール等を入れづらくする防犯効果を発揮できると共に、両パネル板の位置調整を簡単にして、設置工事やメンテナンスを短時間で行える利点を発揮することができる。
【００２０】
更にまた、本発明の請求項５と６に係る料金精算機用盗難防止装置によれば、ロック装置を構成するフックの掛かり具合を簡単に調整でき、また、装置本体の加工精度が悪かったり、設置面が水平でない場合でも、装置本体を料金精算機に対して傾きの無い状態に平行に固定できる利点を発揮できるため、料金精算機に対する盗難防止装置の設置を比較的簡単に、且つ、短時間で済ませることができるものであって、構成が簡単で実施が容易な点と相俟って、無人管理の料金精算機に実施して頗る好適なものである。
【発明を実施するための最良の形態】
【００２１】
以下に、本発明に係る料金精算機用盗難防止装置の実施の形態を図面と共に説明すると、図１は本発明の実施例を示した正面図、図２は開閉扉を開いて示した全体の斜視図であって、これ等の図面において、符号１で全体的に示したのは盗難防止装置本体（以下単に装置本体という）、２は装置本体１の開口された前面口を開閉する開閉扉、２Ｚ…は開閉扉２を取付けたヒンジ板、１Ｔは上面板と左右の側面板とによって全体を略箱状に組立て構成したボックス体であって、このボックス体１Ｔの開口された前面口に上記の開閉扉２を開閉自在に取付け、また、図３に示すように開口された背面口１Ｋを背板７で塞ぐことによって、符号１０で全体的に示した料金精算機を内部１Ｈ（図３参照）に収容して、精算した料金の盗難を防止することができる上記の装置本体１を組立てることができる仕組みに成っている。
【００２２】
図３は、既設又は新設の料金精算機１０を、その前面側より開口された背面口１Ｋ側から上記の如く組立てられた装置本体１の内部１Ｈ内に収納する状態を示した斜視図であって、収納に際しては、装置本体１から背板７と後部ベースフレーム１Ｒを外し、外した背板７を例えば料金精算機１０の背面に立て掛け状態にした後、装置本体１の全体を料金精算機１０の前面に向けて移動して、開口された背面口１Ｋから料金精算機１０を内部１Ｈに収納する。
【００２３】
次いで、上記後部ベースフレーム１Ｒの取付けと、背面口１Ｋへの背板７の取付けを行うと共に、開放されている開閉扉２（上記背板７を取付けるために開閉扉２は開放されている）を閉じ、更に、装置本体１の側面に開口形成されているフック操作口１Ｘより専用の器具（図示省略）を挿入して、フック３をフック受け２Ａに掛けて開閉扉２にロックを掛ければ、料金精算機１０を装置本体１内に収納して、安全に各種料金の精算を行うことができる。
【００２４】
本発明において、上記背板７の背面口１Ｋへの取付けは、装置本体１の内側からのみ行える仕組みに成っているため、背板７を外部から取り外すことは不可能に成っている。即ち、図３において７Ａ…は上記背板７の外側部内側面に突設したねじ（ボルト）、９Ａ…は上記装置本体１の背面口１Ｋの両側に設けた左右の取付板９，９に、上記ねじ７Ａ…に対向して設けた軸穴で、図４（２）に示したようにこれ等各軸穴９Ａ…に各ねじ７Ａ…を挿通し、次いで、装置本体１の内側よりこれ等各ねじ７Ａ…にナット７Ｂを嵌めて締め付ければ、上記装置本体１の背面口１Ｋに対して、背板７を外部から取り外すことができない状態に取付けて、背面口１Ｋを完全に塞ぐことができる。
【００２５】
図４（１）は図１のＸ−Ｘ線に沿った断面図、図４（２）は図４（１）のＡ部を拡大して示した断面図、図５は開閉扉２を開いた状態にして示した装置本体１の側面図であって、図４（１）において１Ｇ，１Ｇは、開口された背面口１Ｋ側から装置本体１内に挿入されて来る料金精算機１０の下側両側面を、左右の傾斜縁１ＧＡ，１ＧＡでガイドして、料金精算機１０を下側前面が装置本体１に設けた前部ベースフレーム１Ｅに係止し、且つ、左右の下側面が上記傾斜縁１ＧＡ，１ＧＡに連続するフラット縁１ＧＢ，１ＧＢに挟持された定位置に保持させることができる水平ガイド板を示す。尚、図中１Ｌ…は各水平ガイド板１Ｇ，１Ｇを装置本体１の内部下側部分に固定する取付けフレームである。
【００２６】
以上の如く、水平ガイド板１Ｇ，１Ｇにガイドされて装置本体１の内部定位置に収納（セット）された料金精算機１０は、図４（１）並びに図９の断面図に示す如く、上面を含めてその前後両面及び左右両側面の全てが、装置本体１の内壁面に対して夫々所定の間隔を保った状態に設置されるため、外部からの破壊に対して料金精算機１０を安全に守ることができる。
【００２７】
次に、図２及び図１１において、１１は前記料金精算機１０の前面に設けた精算機用パネル板で、このパネル板１１には料金精算機１０の機能を発揮するための各種の機器類、即ち、表示器１０Ａ、テンキー１０Ｂ、コイン投入口１０Ｃ、カード投入口１０Ｄ、紙幣投入口１０Ｅ、ＩＣカードリーダ１０Ｆ、インターホン１０Ｇ、領収書要求釦１０Ｈ、釣銭取出口１０Ｉ、取消釦１０Ｊ、及び、精算開始釦１０Ｋが設けられている。
【００２８】
前記の図１と図９に示した断面図において、２Ｍは上記開閉扉２の前面部の中央に大きく形成した凹部で、この凹部の底面部分は大きく開口形成されていて、この開口部分に利用者に操作の方法を示すプラスチック製の案内用パネル板５が位置している。この案内用パネル板５は、強靱な鋼板又は二重構造の鋼板を用いて、全体を上記の開口部分よい若干大きく造った強化パネル板４の表面に一体に接着されている。尚、図１において、２Ｙは上記開口部分の隙間を塞いで料金精算機１０の前面部を保護する保護板であって、料金精算機１０は図４（１）並びに図９に示す如く前面の精算機用パネル板１１が上記強化パネル板４の背面に接するように、上記装置本体１の内部１Ｈに設置される。
【００２９】
更に上記の強化パネル板４と案内用パネル板５には、図１及び図２に示す如く、装置本体１の内部１Ｈに設置された料金精算機１０を前面側から操作できるように、上記精算機用パネル板１１に設けられている各種の機器類（外装品）即ち、図２に示した表示器１０Ａ、テンキー１０Ｂ、コイン投入口１０Ｃ、カード投入口１０Ｄ、紙幣投入口１０Ｅ、ＩＣカードリーダ１０Ｆ、インターホン１０Ｇ、領収書要求釦１０Ｈ、釣銭取出口１０Ｉ、取消釦１０Ｊ、及び、精算開始釦１０Ｋを、各々内部に位置を合わせて嵌め込むことによって、前面側に露出されるための各穴４Ａ，４Ｂ，４Ｃ，４Ｄ，４Ｅ，４Ｆ，４Ｇ，４Ｈ，４Ｉ，４Ｊ，４Ｋと、５Ａ，５Ｂ，５Ｃ，５Ｄ，５Ｅ，５Ｆ，５Ｇ，５Ｈ，５Ｉ，５Ｊ，５Ｋが夫々開口形成され、これ等各穴４Ａ〜４Ｋと５Ａ〜５Ｋを夫々位置合わせした状態で両者が一体に接着されている。
【００３０】
次に、上記一体に重ねて接着された強化パネル板４と案内用パネル板５とを、上記開閉扉２の凹部２Ｍに形成した開口部分に取付ける構成と、これ等のパネル板４及び５を料金精算機１０の精算機用パネル板１１に位置合わせするための調整手段の構成を、図６乃至図８の記載に従って説明する。
【００３１】
図６は、図５のＢ部を拡大して示した正面図、図７は同じくＣ部の構成を拡大して示した正面図、図８は図７の中央縦断面図であって、本発明では強化パネル板４と案内用パネル板５に設けた穴４Ａ〜４Ｋ及び５Ａ〜５Ｋと、料金精算機１０の精算機用パネル板１１に設けた各種機器類１０Ａ〜１０Ｋとを一致させるために、図８の如く開閉扉２の基部２Ｗ（図８参照）と強化パネル板４との間にスペーサ１２を介在することによって、強化パネル板４を上下及び左右に移動調整できるように構成されている。
【００３２】
即ち、図６において１４は強化パネル板４を上記のスペーサ１２に取付ける調整用ねじ、４Ｘは強化パネル板４に横長に設けた長孔で、強化パネル板４はこの横長の長孔４Ｘの分だけ、スペーサ１２に対して左右両方向に移動調節することができる。また、図中４Ｙは強化パネル板４に比較的大きく開口形成した角穴、１２Ｈはこの角穴４Ｙの範囲内において、上記のスペーサ１２に設けた縦長の長孔、１３はスペーサ１２を上記の基部２Ｗに取付ける調整用ねじで、スペーサ１２は基部２Ｗに対して長孔１２Ｈの分だけ上下両方向に移動調節することができ、その結果、強化パネル板４を上記の基部２Ｗ、即ち、開閉扉２に対して左右及び上下の方向にその取付け位置を移動調整できる仕組みに成っている。
【００３３】
以上の如く構成した調整用ねじ１３，１４による上下左右調整手段は、図５に示すように強化パネル板４の複数箇所設けられているため、各調整用ねじ１３及び１４を緩めれば強化パネル板４を上下又は左右の任意の方向に移動調整することができ、移動調節が済んだら各調整用ねじ１３，１４を締め付ければ、各穴４Ａ〜４Ｋの位置を前記精算機用パネル板１１に設けた各種機器類１０Ａ〜１０Ｋに合わせた位置に、強化パネル板４を固定することができる。
【００３４】
また、図７と図８において１２Ｔは上記スペーサ１２の上部中央部分に突出形成した逆Ｌ字型ブラケット、１６はこのブラケット１２Ｔの水平面に設けためねじ１２Ｓにねじ込んだ調節ねじで、この調節ねじ１６の下端は前記基部２Ｗの上端部に当接されており、従って、上述した上下移動調整用の各ねじ１３を緩めてこの調節ねじ１６を回転操作すると、スペーサ１２が上下方向に移動して、強化パネル板４を上下方向に移動調節することができる。
【００３５】
次に、上記装置本体１の内部１Ｈに設置した料金精算機１０の精算機用パネル板１１の前面と、上記開閉扉２に取付けた強化パネル板４とが近接する状態で、而も、前記各穴４Ａ〜４Ｋと各種機器類１０Ａ〜１０Ｋが合致する状態に位置調整して開閉扉２を閉じて、前記装置本体１に設けたフック３を前記開閉扉２に設けたフック受け２Ａに掛けてロックする場合に、図１０（１）に示すようにフック３とフック受け２Ａとの間に隙間（ガタ）がある場合、及び、図１０（２）に示すようにフック３がフック受け２Ａに掛からない場合の、調整手段を説明する。
【００３６】
図９並びに図１０において、１Ｆは装置本体１の下側部で、且つ、前記フック３の近傍に設けた取付板、１７は先端を上記フック受け２Ａ、又は、開閉扉２のその他の箇所に当接した状態で、上記取付板１Ｆに螺着した開閉扉調整ねじ、１８は先端を前記料金精算機１０の任意の箇所に当接した状態で、上記取付板１Ｆに螺着した精算機調整ねじであって、図１０（１）の如く隙間（ガタ）がある場合は、上記の開閉扉調整ねじ１７を螺進操作すれば、隙間（ガタ）を無くすことができる。また、図１０（２）の如くフック３が掛からない場合は、上記の精算機調整ねじ１８を螺進操作すれば、料金精算機１０が固定である関係上、フック３を取付た装置本体１の全体が図９において左方向に移動することになるため、フック３をフック受け２Ａに掛けることができる。
【００３７】
図１１と図１２は、設置された料金精算機１０に対する装置本体１の傾きを調整するための手段を示したものであって、図中、８は装置本体１の内部上側部分に横架、又は、一端部８Ｘを取付軸８Ｗを用いて上下回動自在に支持した支持フレーム、８Ａ，８Ａはこの支持フレーム８の両側部に下方に向けて垂設した左右のアーム部、８Ｂ…はこれ等両アーム部８Ａ，８Ａに内側に向けて螺進自在に装着した調節ボルト、８ＢＴ…は各調節ボルト８Ｂ…に装着した締め付け用のナットで、装置本体１の内部１Ｈに設置した料金精算機１０の両側部各調節ボルト８Ｂ…の先端を当接して、夫々ナット８ＢＴ…で締め付け操作することによって、料金精算機１０に対して装置本体１を一体化できると共に、料金精算機１０に対して装置本体１が傾いている場合は、調節ボルト８Ｂ…を緩めて角度を調整した後、再びナット８ＢＴを締め付け操作することで、両者の傾きの不具合を調整することができる。
【００３８】
尚、図２又は図３において、１０Ｘは上記料金精算機１０の前面部に設けた精算機の開閉扉、１０Ｙは精算機扉開閉錠を示す。
【図面の簡単な説明】
【００３９】
【図１】本発明に係る料金精算機用盗難防止装置の正面図。
【図２】開閉扉を開いて示した本発明に係る料金精算機用盗難防止装置の斜視図。
【図３】背板を外して料金精算機を装置本体の内部に設置する状態を説明した斜視図。
【図４】（１）は図１のＸ−Ｘ線に沿った平断面図、（２）は（１）のＡ矢視部分の拡大断面図。
【図５】開閉扉を開いた状態の装置本体の側面図。
【図６】図５Ｂ矢視部の拡大図。
【図７】図５Ｃ矢視部の拡大図。
【図８】図７の中央縦断面図。
【図９】本発明に係る料金精算機用盗難防止装置の簡略化した側断面図。
【図１０】（１）はフックに隙間（ガタ）がある場合を示した側断面図、（２）はフックが掛からない場合を示した側断面図。
【図１１】支持フレームの実施の形態を説明した内部斜視図。
【図１２】支持フレームの要部を説明した斜視図。
【符号の説明】
【００４０】
１            盗難防止装置本体（装置本体）
１Ｔ          略箱型形状を成す本体
１Ｘ          フック操作口
１Ｈ          装置本体の内部
１Ｇ          水平ガイド板
１Ｋ          開口された背面口
２            開閉扉
２Ａ          フック受け
２Ｗ          開閉扉の基部
３            ロック装置としてのフック
４            強化パネル板
４Ａ〜４Ｋ    穴
４Ｘ          ねじ用の長孔
５            案内用パネル板
５Ａ〜５Ｋ    穴
７            背板
７Ａ          ねじ（ボルト）
７Ｂ          ナット
８            支持フレーム
８Ａ          アーム部
８Ｂ          傾き調節ボルト
９Ａ          軸穴
１０          料金精算機
１１          精算機用パネル板
１２          スペーサ
１２Ｔ        逆Ｌ字型ブラケット
１２Ｈ        ねじ用の長孔
１３，１４    調整用ねじ
１６          調節ねじ
１７          開閉扉調整ねじ
１８          精算機調整ねじ
【図１】
0005134298.tif 000002
【図２】
0005134298.tif 000003
【図３】
0005134298.tif 000004
【図４】
0005134298.tif 000005
【図５】
0005134298.tif 000006
【図６】
0005134298.tif 000007
【図７】
0005134298.tif 000008
【図８】
0005134298.tif 000009
【図９】
0005134298.tif 000010
【図１０】
0005134298.tif 000011
【図１１】
0005134298.tif 000012
【図１２】
0005134298.tif 000013